(57)【要約】【課題】良好なＳ／Ｎをもつ干渉信号を得る。【解決手段】  歯周病を検査する装置に用いられる検査ヘッド２０において，平行光である測定光Ｂ１１からＢ１５が出射部３０の出射面３２から出射される。出射部３０の出射面３２に対向する位置に反射面４１が形成されている反射部材４０が設けられている。出射面３２と反射面４１とによって歯および歯茎を挟み，測定光Ｂ１１からＢ１５を出射する。歯および歯茎からの測定光Ｂ１１からＢ１５の反射光に加えて，反射面４１からの測定光Ｂ１１からＢ１５の反射光を利用して干渉信号が生成される。Ｓ／Ｎの良好な干渉信号が得られる。【選択図】  図７
2020054751.tif 000002
【特許請求の範囲】
【請求項１】
低干渉光から分岐される測定光と参照光とを利用して歯周病を検査する装置に用いられる検査ヘッドにおいて，
平行光である測定光を出射する出射面と，上記出射面に平行であり，かつ上記出射面から出射される測定光を反射する反射面と，が形成されている保持部，
を備えた検査ヘッド。
【請求項２】
上記出射面は出射部材に，上記反射面は反射部材にそれぞれ形成されており，
上記保持部は，
上記出射部材および上記反射部材を保持する，
請求項１に記載の検査ヘッド。
【請求項３】
上記保持部は，
上記出射面と上記反射面とが平行状態を維持しつつ接近および離間可能に上記出射部材および上記反射部材を保持する，
請求項２に記載の検査ヘッド。
【請求項４】
一端部が上記保持部に固定されている棒状の把持部材をさらに備え，
上記把持部材は，
上記出射光の光軸と同じ方向の直線を回転軸として所定の角度折り曲げ自在である，
請求項２または３に記載の検査ヘッド。
【請求項５】
上記出射面と上記反射面とが接近するように上記出射部材および上記反射部材の少なくとも一方に加える力を伝達する第１の伝達部材，
をさらに備えた請求項３または４に記載の検査ヘッド。
【請求項６】
上記出射面と上記反射面とが離間するように上記出射部材および上記反射部材の少なくとも一方に加える力を伝達する第２の伝達部材，
をさらに備えた請求項３から５のうち，いずれか一項に記載の検査ヘッド。
【請求項７】
上記出射面と上記反射面とが接近するように上記出射部材と上記反射部材とを引っ張る引っ張り部材，
をさらに備えた請求項６に記載の検査ヘッド。
【請求項８】
上記出射面と上記反射面とが離間するように上記出射部材と上記反射部材とを離間させ力を与える圧縮部材，
をさらに備えた請求項５に記載の検査ヘッド。
【請求項９】
上記保持部は，
歯茎の境目の歯の表面部分と歯茎の一部とに密着し，かつ可撓性材料からなるマウス・ピースであって，
装着することにより歯と歯茎の一部とが入り込む窪み部が形成されており，
上記窪み部において歯を挟んで対向する２つの面のうち一方の面に上記出射面が形成され，かつ上記２つの面のうち他方の面に上記反射面が形成されているマウス・ピースである，
請求項１に記載の検査ヘッド。
【請求項１０】
上記反射面は，表面鏡または裏面鏡の反射面である，
請求項１から９のうち，いずれか一項に記載の検査ヘッド。
【請求項１１】
請求項１から10のうち，いずれか一項に記載の検査ヘッド，
低干渉光を測定光と参照光とに分岐する光分岐器，
上記光分岐器によって分岐された測定光を平行光とする平行化素子，
上記平行化素子によって平行光とされた測定光を，上記検査ヘッドに導光して上記出射面から出射させる光導波路，
上記検査ヘッドの上記出射面から出射した測定光が歯茎または歯に照射されることにより歯茎または歯から反射された反射光および上記検査ヘッドの上記出射面から出射した出射光が上記検査ヘッドの上記反射面から反射された反射光と，上記光分岐器によって分岐された参照光が参照面によって反射された反射光と，を検出した干渉信号を出力する光検出器，ならびに
上記光検出器から出力した干渉信号にもとづいて歯周ポケットの深さについてのデータを生成する歯周ポケット・データ生成手段，
を備えた歯周病検査装置。
【発明の詳細な説明】
【技術分野】
【０００１】
この発明は，検査ヘッドおよび歯周病検査装置に関する。
【背景技術】
【０００２】
歯周病の検査の一つとして歯周ポケットの深さを測ることが行われている。歯周ポケットの深さは，歯科医師等がポケット・プローブという棒状の測定器具を歯周ポケットの中に挿入して目視で測るのが一般的である。しかしながら，歯科医師等の力の加減，ポケット・プローブの挿入角度，目視誤差などにより測定結果が必ずしも正確でないことがある。また，検査時の歯茎からの出血等で，歯周病で無い患部への歯周病感染等も懸念される。このために，被検出物に光を照射して光断層情報から口腔内の情報を取得するＯＣＴ（optical coherence tomography）装置が考えられている（特許文献１）。
【先行技術文献】
【特許文献】
【０００３】
【特許文献１】特開2013-257166号公報
【発明の概要】
【発明が解決しようとする課題】
【０００４】
しかしながら，ＯＣＴ装置から出射される測定光は，透過限界まで，透過，反射，干渉を繰り返し行うので，被検出物の内部を進むに連れて過光が減衰する。そのため，被検出物の厚みが大きくなるほど，得られる干渉信号のＳ／Ｎが悪くなる。このために，被検出物の正確な情報が得られないことがある。
【０００５】
この発明は，被検出物の厚みが大きくなることに起因した干渉信号のＳ／Ｎの低下を防止することを目的とする。
【課題を解決するための手段】
【０００６】
第１の発明は，低干渉光から分岐される測定光と参照光とを利用して歯周病を検査する装置に用いられる検査ヘッドにおいて，平行光である測定光を出射する出射面と，上記出射面に平行（ほぼ平行であればよい）であり，かつ上記出射面から出射される測定光を反射する反射面と，が形成されている保持部を備えていることを特徴とする。
【０００７】
上記出射面は出射部材に，上記反射面は反射部材にそれぞれ形成されており，上記保持部は，上記出射部材および上記反射部材を保持するとよい。
【０００８】
上記保持部は，たとえば，上記出射面と上記反射面とが平行状態を維持しつつ接近および離間可能に上記出射部材および上記反射部材を支持する。
【０００９】
一端部が上記保持部に固定されている棒状の把持部材をさらに備えてもよい。この場合，上記把持部材は，たとえば，上記出射光の光軸と同じ方向の直線を回転軸として所定の角度折り曲げ自在である。
【００１０】
上記出射面と上記反射面とが接近するように上記出射部材および上記反射部材の少なくとも一方に加える力を伝達する第１の伝達部材をさらに備えてもよいし，上記出射面と上記反射面とが離間するように上記出射部材および上記反射部材の少なくとも一方に加える力を伝達する第２の伝達部材をさらに備えてもよい。
【００１１】
上記出射面と上記反射面とが接近するように上記出射部材と上記反射部材とを引っ張る引っ張り部材をさらに備えてもよいし，上記出射面と上記反射面とが離間するように上記出射部材と上記反射部材とを離間させ力を与える圧縮部材をさらに備えてもよい。
【００１２】
上記保持部は，たとえば，歯茎の境目の歯の表面部分と歯茎の一部とに密着し，かつ可撓性材料からなるマウス・ピースである。この場合，好ましくは，装着することにより歯と歯茎の一部とが入り込む窪み部が形成されており，上記窪み部において歯を挟んで対向する２つの面のうち一方の面に上記出射面が形成され，かつ上記２つの面のうち他方の面に上記反射面が形成されているマウス・ピースである。
【００１３】
上記反射面は，たとえば，表面鏡または裏面鏡の反射面である。
【００１４】
第２の発明による歯周病検査装置は，上記検査ヘッド，低干渉光を測定光と参照光とに分岐する光分岐器，上記光分岐器によって分岐された測定光を平行光とする平行化素子，上記平行化素子によって平行光とされた測定光を，上記検査ヘッドに導光して上記出射面から出射させる光導波路，上記検査ヘッドの上記出射面から出射した測定光が歯茎または歯に照射されることにより歯茎または歯から反射された反射光および上記検査ヘッドの上記出射面から出射した出射光が上記検査ヘッドの上記反射面から反射された反射光と，上記光分岐器によって分岐された参照光が参照面によって反射された反射光と，を検出した干渉信号を出力する光検出器，ならびに上記光検出器から出力した干渉信号にもとづいて歯周ポケットの深さについてのデータを生成する歯周ポケット・データ生成手段を備えている。
【発明の効果】
【００１５】
第１の発明によると，出射面と平行な反射面が形成されているので，反射面から反射した測定光が得られる。出射面から出射した測定光だけでなく反射面から反射した測定光も用いて干渉信号を生成すれば，被測定物の厚みが大きくなることに起因する干渉信号のＳ／Ｎの低下を軽減できる。第２の発明によると，出射面から出射した測定光だけでなく，反射面から反射した測定光を用いて干渉信号を生成するので，被測定物の厚みが大きくなることに起因する干渉信号のＳ／Ｎの低下が軽減でき，歯周ポケットについて比較的正確なデータが得られる。
【図面の簡単な説明】
【００１６】
【図１】歯周病検査装置の電気的構成を示すブロック図である。
【図２】偏向装置の構成を示している。
【図３】偏向装置の構成を示している。
【図４】測定光を歯および歯茎に照射している様子を示している。
【図５】（Ａ）から（Ｅ）は，干渉信号の一例である。
【図６】光断層画像の一例である。
【図７】検査ヘッドの斜視図である。
【図８】図７のＶＩＩＩ−ＶＩＩＩ線に沿う断面図である。
【図９】図７のＩＸ−ＩＸ線に沿う断面図である。
【図１０】検査ヘッドの斜視図である。
【図１１】図１０のＸＩ−ＸＩ線に沿う断面図である。
【図１２】検査ヘッドの把持部材を折り曲げた様子を示している。
【図１３】検査ヘッドの断面図である。
【図１４】検査ヘッドの斜視図である。
【図１５】出射部材の斜視図である。
【図１６】マウス・ピースと歯茎に包まれた歯との斜視図である。
【図１７】歯にマウス・ピースを装着した様子を示している。
【図１８】マウス・ピースの平面図である。
【図１９】図１８のＸＩＸ−ＸＩＸ線に沿う断面図である。
【図２０】歯に装着されたマウス・ピースの平面図である。
【図２１】図１８のＸＸＩ−ＸＸＩ線に沿う断面図である。
【図２２】図２０のＸＸII−ＸＸII線に沿う断面図である。
【発明を実施するための形態】
【００１７】
図１は，この発明の実施例を示すもので，歯周病検査装置の構成を示すブロック図である。
【００１８】
ＳＬＤ（Super luminescent diode）などのような光源１から低干渉光（低コヒーレント光）Ｌが出射される。低干渉光Ｌは，ビーム・スプリッタ２（光分岐器の一例である）によって測定光ＬＭと参照光ＬＲとに分岐させられる。光源１からは低干渉光Ｌが出射されればよく，ガス・レーザ，半導体レーザ，レーザ・ダイオードなどの他の光源を用いてもよい。
【００１９】
ビーム・スプリッタ２によって分岐させられた測定光ＬＭは，第１の光ファイバ７の測定光ＬＭの入射端面７Ａ（測定光ＬＭの入射端面は，図１において基端側の端面となる）から第１の光ファイバ７に入射する。第１の光ファイバ７の測定光ＬＭの出射端面（測定光ＬＭの出射端面は，図１において先端側の端面となる）は偏向装置１０に接続されている。偏向装置１０には，５本（便宜上５本としているが５本よりも多くても少なくてもよい）の第２の光ファイバ２１から２５が接続されている。５本の光ファイバ２１から２５（光導波路の一例である）における測定光ＬＭの入射端面のそれぞれに順に入射するように，第１の光ファイバ７における測定光ＬＭの出射端面から出射した測定光ＬＭが，偏向装置１０によって偏向させられ，かつ平行化させられる。
【００２０】
歯周病検査装置の検査ヘッド２０（詳細は，図７から図１２などを参照）には保持部５０が含まれている。この保持部５０に測定光ＬＭを出射する出射部材３０が形成されている。出射部材３０は，詳しくは後述するように（図７等を参照），２つの板状部材３１と変形部材３２とから構成されている。出射部材３０と，出射部材３０の出射面３３Ａから出射した測定光ＬＭを反射する反射面４１Ａが形成されている反射部材４０とが保持部５０に保持されている。反射部材４０も，詳しくは後述するように（図７等を参照），シート状の鏡４１，変形部材４２および板状部材４３から構成されている。出射部材３０の出射面３３Ａと反射部材４０の反射面４１Ａとは平行となるように，出射部材３０および反射部材４０とが保持部５０に保持されている。その保持部５０には，ユーザが検査ヘッド20を把持する把持部材６０が固定されている。第２の光ファイバ２１から２５の測定光ＬＭの出射端面側の部分は出射部材３０の入射面３１Ａから出射部材３０内に入り込み，出射部材３０内に固定されている。
【００２１】
第２の光ファイバ２１から２５に入射した測定光ＬＭは，第２の光ファイバ２１から２５内を伝搬して出射部材３０の出射面３３Ａから出射する。測定光ＬＭは，測定対象である歯茎ＧＵおよび歯ＴＯに照射させられる。
【００２２】
測定対象である歯茎ＧＵおよび歯ＴＯに照射された測定光ＬＭの一部は歯茎ＧＵおよび歯ＴＯから反射する。歯茎ＧＵおよび歯ＴＯから反射した測定光ＬＭは，第２の光ファイバ２１から２５を通り，偏向装置１０によって第１の光ファイバ７に導かれる。
【００２３】
また，測定光ＬＭの一部は歯茎ＧＵおよび歯ＴＯを透過し，反射部材４０の反射面４１Ａにおいて反射する。反射面４１Ａから反射した測定光ＬＭも，歯茎ＧＵおよび歯ＴＯを透過し，第２の光ファイバ２１から２５を通り，偏向装置１０によって第１の光ファイバ７に導かれる。
【００２４】
第１の光ファイバ７からは，歯茎ＧＵおよび歯ＴＯから反射した測定光ＬＭならびに反射面４１Ａから反射した測定光ＬＭが戻ってきて，ビーム・スプリッタ２において反射してフォトダイオード４（光検出器の一例である）に入射する。
【００２５】
また，ビーム・スプリッタ２において分岐させられた参照光ＬＲは，参照光ＬＲの進む方向およびその逆方向（図１に示す実施例においてはＺ軸正方向および負方向）に移動自在な参照用ミラー３（参照面）において反射する。反射した参照光ＬＲは，ビーム・スプリッタ２を透過してフォトダイオード４に入射する。
【００２６】
参照用ミラー３が移動させられて，測定光ＬＭが被検査対象である歯茎ＧＵおよび歯ＴＯに照射するまでの伝播距離と被検査対象である歯茎ＧＵおよび歯ＴＯからの反射光がフォトダイオード４に入射するまでの伝播距離との総和の伝播距離と，参照光ＬＲが参照用ミラー３を照射するまでの伝播距離と参照用ミラーからの反射光がフォトダイオード４に入射するまでの伝播距離との総和の伝播距離と，が等しくなると，測定光ＬＭと参照光ＬＲとの干渉が生じ，フォトダイオード４から干渉信号が出力される。
【００２７】
フォトダイオード４から出力した干渉信号は，信号処理回路５（歯周ポケット・データ生成手段の一例である）に入力し，歯茎ＧＵおよび歯ＴＯの光断層画像（断層画像）を表す信号（歯周ポケットの深さについてのデータ）が生成される。生成された光断層画像を表す信号が表示装置６に入力することにより，表示装置６の表示画面に歯茎ＧＵおよび歯ＴＯの光断層画像が表示される。光断層画像の輪郭抽出処理が信号処理回路５において行われることにより，歯茎ＧＵと歯ＴＯとの間にある歯周ポケットの深さが算出される。算出された歯周ポケットの深さも表示装置６の表示画面に表示される。光断層画像を生成し，生成された光断層画像から歯周ポケットの深さを算出しているが，光断層画像を生成することなく，歯周ポケットの深さを表す数値データ（そのような数値データも歯周ポケットの深さについてのデータと考えられる）を信号処理回路５において算出し，歯周ポケットの深さを表示装置６の表示画面に表示するようにしてもよい。
【００２８】
この実施例においては，光ファイバ７，２１から２５などにおいて，測定光ＬＭの出射方向の部分を先端側とし，測定光ＬＭの反射光の方向を基端側とする。
【００２９】
図２は，偏向装置１０の構成を示している。
【００３０】
偏向装置１０には，上述のように第１の光ファイバ７が接続されている。第１の光ファイバ７の測定光の出射端面７Ｂの前面にはGRIN（gradient index）レンズ１１（GRINレンズは入射した光を平行化して出力する平行化素子の一例であり，平行化できれば他のレンズ，他の光学素子でもよい）が配置されている。GRINレンズ１１によって平行化された測定光ＬＭは，固定ミラー１２（回転しないが，回転させるようにしてもよい）によって反射され，偏向ミラー１３に導かれる。偏向ミラー１３は，所定の角度回転可能であり，入射した光を回転角に応じた偏向角で反射させる。偏向ミラー１３には，例えば，ＭＥＭＳ（Micro-Electro-Mechanical Systems）ミラーが採用される。偏向ミラー１３において反射させられた測定光ＬＭは，ｆ−θレンズ１４（入射した光を平行化して出射する平行化素子の一例であり，他の平行化素子でもよい）において平行化させられて集光レンズ１５から１９のうちのいずれかを通って，第２の光ファイバ２１から２５の入射端面２１Ａから２５Ａのいずれかから，第２の光ファイバ２１から２５のいずれかに入射する。なお，光を平行化するとは，光を完全に平行にすることに限定されず，光を略平行にすることも含む概念である。また，本実施形態において，平行化素子は，光を完全な平行よりもやや集光気味にすることが好ましい。すなわち，光の減衰及び物質を透過する際の拡散の影響を減らし，且つ，光の焦点が平行化素子から近傍に位置しないようにすることが好ましい。
【００３１】
偏向ミラー１３の回転角を，制御装置（図示略）を用いて制御することにより，測定光ＬＭを第２の光ファイバ２１から２５のうちのいずれかに入射させることができる。たとえば，偏向ミラー１３を所定角度から角度θ１だけ回転させることにより，図２に示すように，測定光ＬＭは，集光レンズ１５を通って第２の光ファイバ２１に入射する。同様に，偏向ミラー１３を所定角度から角度θ２，θ３またはθ４だけそれぞれ回転させると，測定光ＬＭは，集光レンズ１６，１７または１８を通って第２の光ファイバ２２，２３または２４に入射する。図３に示すように，偏向ミラー１３を所定角度から角度θ５だけ回転させると，測定光ＬＭは，集光レンズ１９を通って第２の光ファイバ２５に入射する。
【００３２】
第２の光ファイバ２１から２５の測定光ＬＭの出射端面から出射した測定光ＬＭ（このように第２の光ファイバ２１から２５において，平行光とされた測定光ＬＭが検査ヘッド２０に導光させられる）は歯茎ＧＵおよび歯ＴＯならびに反射面４１Ａにおいて反射し，出射した出射端面から第２の光ファイバ２１から２５に再度入射する。歯茎ＧＵおよび歯ＴＯにおいて反射した後，再度第２の光ファイバ２１から２５に入射した測定光ＬＭは，上述した第１の光ファイバ７から第２の光ファイバ２１から２５に出射される経路と逆の経路を経て，第１の光ファイバ７に再度入射する。
【００３３】
図４は，測定光Ｂ１１，Ｂ２１，Ｂ３１，Ｂ４１およびＢ５１が検査対象である歯茎ＧＵおよび歯ＴＯに照射される様子を示すものである。図２においては，出射部材３０の図示は省略されている。測定光ＬＭのうち，第２の光ファイバ２１，２２，２３，２４および２５から出射した測定光ＬＭが測定光Ｂ１１，Ｂ１２，Ｂ１３，Ｂ１４およびＢ１５によって表され，反射面４１Ａにおいて反射した測定光Ｂ１１，Ｂ１２，Ｂ１３，Ｂ１４およびＢ１５が反射光Ｒ１１，Ｒ１２，Ｒ１３，Ｒ１４およびＲ１５として表されている。
【００３４】
測定光Ｂ１１は第２の光ファイバ２１を伝搬する測定光ＬＭである。同様に，測定光Ｂ２１は第２の光ファイバ２２を，測定光Ｂ３１は第２の光ファイバ２３を，測定光Ｂ４１は第２の光ファイバ２４を，測定光Ｂ５１は第２の光ファイバ２５を，それぞれ伝搬する測定光ＬＭである。
【００３５】
図４は，歯茎ＧＵおよび歯ＴＯを側面から見たものであり，図４の左側が身体の外側および内側の一方，右側が身体の外側および内側の他方に相当する。
【００３６】
歯茎ＧＵと歯ＴＯとの間に歯周ポケットＰＰが形成されている。重度の歯周病の場合，歯周ポケットＰＰの深さは６ｍｍ以上となるから，測定光Ｂ１１からＢ５１の振れ幅ΔＬ（歯周ポケットＰＰの深さ方向における測定光Ｂ１１からＢ５１の振れ幅）が６ｍｍ以上あれば，重度の歯周病の歯周ポケットＰＰかどうかが判断できる。したがって，測定光Ｂ１１からＢ５１の振れ幅ΔＬが６ｍｍ以上となるように，第２の光ファイバ２１から２５の本数および第２の光ファイバ２１から２５のそれぞれの径が決定される。このように，一度の走査で歯周ポケットの深さを測定するのに十分な振れ幅があることが好ましい。
【００３７】
測定光Ｂ１１の一部は，歯ＴＯの表面ＴＯ１および歯ＴＯ裏面側の内面ＴＯ２のそれぞれにおいて反射し，それらの反射光が第２の光ファイバ２１に導かれる。測定光Ｂ２１の一部は，図４において左側の歯茎ＧＵの表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面ＧＵ３のそれぞれにおいて反射し，それらの反射光が第２の光ファイバ２２に導かれる。同様に，測定光Ｂ２１およびＢ３１のそれぞれの一部は，図４において左側の歯茎ＧＵの表面ＧＵ１，左側の歯茎ＧＵの裏面側の内面ＧＵ２，歯ＴＯの表面ＴＯ１，歯ＴＯの裏面側の内面ＴＯ２および右側の歯茎ＧＵの裏面側の内面ＧＵ３のそれぞれにおいて反射し，それらの反射光が第２の光ファイバ２２および２３に導かれる。測定光Ｂ５１の一部は，図４において左側の歯茎ＧＵの表面ＧＵ１，左側の歯茎ＧＵの裏面側の内面ＧＵ２（歯ＴＯの裏面側には歯周ポケットが無いので，歯ＴＯの表面ＴＯ１と同じ面となる），歯ＴＯ裏面側の内面ＴＯ２および右側の歯茎ＧＵの裏面側の内面ＧＵ３のそれぞれにおいて反射し，それらの反射光が第２の光ファイバ２２に導かれる。
【００３８】
図４において，反射光Ｒ１１は，歯ＴＯを透過した測定光Ｂ１１が反射面４１Ａにおいて反射した光であり，歯ＴＯを透過して第２の光ファイバ２１に導かれる。反射光Ｒ１２は，歯茎ＧＵおよび歯ＴＯを透過した測定光Ｂ１２が反射面４１Ａにおいて反射した光であり，歯茎ＧＵおよび歯ＴＯを透過して第２の光ファイバ２２に導かれる。同様に，反射光Ｒ１３，Ｒ１４およびＲ１５は，歯茎ＧＵおよび歯ＴＯを透過した測定光Ｂ１３，Ｂ１４およびＢ１５のそれぞれが，反射面４１Ａにおいて反射した光であり，歯茎ＧＵおよび歯ＴＯを透過して第２の光ファイバ２３，２４および２５のそれぞれに導かれる。
【００３９】
この実施例においては，測定光Ｂ１１からＢ５１が歯ＴＯなどにおいて反射した反射光のそれぞれに加えて，測定光Ｂ１１からＢ５１が反射面４１Ａにおいて反射した反射光Ｒ１１からＲ５１のそれぞれが，第２の光ファイバ２１から２５のそれぞれに導かれる。第２の光ファイバ２１から２５のそれぞれにおいて伝搬した反射光が，上述のように第１の光ファイバ７の左側の端面７Ａから，反射した測定光ＬＭとして出射する。
【００４０】
図５（Ａ）から図５（Ｅ）は，干渉信号の一例である。
【００４１】
図５（Ａ），図５（Ｂ），図５（Ｃ），図５（Ｄ）および図５（Ｅ）は，それぞれ測定光Ｂ１１，Ｂ２１，Ｂ３１，Ｂ４１およびＢ５１にもとづいて得られる干渉信号の一例である。
【００４２】
測定光Ｂ１１は，歯茎ＧＵが無い歯ＴＯの部分に直接照射されており（図４参照），歯ＴＯの表面からの反射光強度が高くなる。このために，図５（Ａ）に示すように，測定光Ｂ１１による歯ＴＯの左側の表面ＴＯ１からの反射光にもとづいて図５（Ａ）に示すように時刻ｔ１１においてレベルＬ１１の干渉信号Ｓ１１が発生する。また，測定光Ｂ１１は，歯ＴＯの裏面側の内面ＴＯ２においても反射し，この反射光にもとづいて図５（Ａ）に示すように時刻ｔ１２において干渉信号Ｓ１２が発生する。ここで，実際には，測定光Ｂ１１は，被測定物である歯ＴＯ内を進むに連れて，減衰等するために歯ＴＯの裏面側の内面ＴＯ２からの反射光は，歯ＴＯの左側の表面ＴＯ１からの反射光よりも反射量が少なくなる。そのため，仮に，反射面４１Ａからの反射光Ｒ１１を利用しないとすると，干渉信号Ｓ１２のレベルは，干渉信号Ｓ１１のレベルと比較して，大きく低下したレベルであるレベルＬ１２となってしまう（レベル低下をわかりやすくするために鎖線Ｃ１が図示されている）。しかしながら，この実施例においては，測定光Ｂ１１の歯ＴＯの裏面側の内面ＴＯ２における反射に加えて，反射面４１Ａからの反射光Ｒ１１も利用して干渉信号Ｓ１１およびＳ１２が生成される。そのため，図５（Ａ）に示されるように，この実施例では反射面４１Ａからの反射光Ｒ１１も利用して干渉信号Ｓ１２が生成されるので（干渉信号Ｓ１１も反射面４１Ａからの反射光Ｒ１１も利用される），干渉信号Ｓ１２のレベルは干渉信号Ｓ１１のレベルＬ１１と比較して，大きく低下することが防止される。
【００４３】
測定光Ｂ２１は，歯周ポケットＰＰの上端部を照射するから（図４参照），歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面のそれぞれからの反射光強度が高くなる。このために，図５（Ｂ）に示すように，歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面からのそれぞれの反射光にもとづいて図５（Ｂ）に示すように時刻ｔ２１，ｔ２２，ｔ２３，ｔ２４およびｔ２５において干渉信号Ｓ２１，Ｓ２２，Ｓ２３，Ｓ２４およびＳ２５が発生する。時刻ｔ２１から時刻ｔ２２までの時間差Δｔ２１は測定光Ｂ２１が照射される部分の歯茎ＧＵの厚さΔ２１を示し，時刻ｔ２２から時刻ｔ２３までの時間差Δｔ２２は測定光Ｂ２１が照射される部分の歯周ポケットＰＰのギャップ間距離（歯ＴＯと歯茎ＧＵとの隙間の距離）Δ２２を示し，時刻ｔ２３から時刻ｔ２４までの時間差Δｔ２３は測定光Ｂ２１が照射される部分の歯ＴＯの厚さΔ２３を示し，時刻ｔ２４から時刻ｔ２５までの時間差Δ２４は測定光Ｂ２１が照射される部分の歯ＴＯの右側の歯茎ＧＵの厚さΔ２４を示している。
【００４４】
仮に，反射光Ｒ２１を利用しないで干渉信号Ｓ２１，Ｓ２２，Ｓ２３，Ｓ２４およびＳ２５が生成されるとすると，特に，干渉信号Ｓ２４のレベルＬ２４および干渉信号Ｓ２５のレベルＬ２５が，干渉信号Ｓ２１，Ｓ２２，またはＳ２３と比較して大きく低下してしまう（レベル低下が鎖線Ｃ２によって表されている）。しかしながら．本実施例では，干渉信号Ｓ１１およびＳ１２と同様に，干渉信号Ｓ２１，Ｓ２２，Ｓ２３，Ｓ２４およびＳ２５のそれぞれにおいても測定光Ｂ２１の反射光Ｒ２１を用いて生成される。そのため，図５（Ｂ）に示されるように，干渉信号Ｓ２４，干渉信号Ｓ２５などのレベルが大きく低下することが防止される。
【００４５】
同様に，測定光Ｂ３１により，歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面のそれぞれからの反射光強度が高くなる。このために，図５（Ｃ）に示すように，歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面からのそれぞれの反射光にもとづいて図５（Ｃ）に示すように時刻ｔ３１，ｔ３２，ｔ３３，ｔ３４およびｔ３５において干渉信号Ｓ３１，Ｓ３２，Ｓ３３，Ｓ３４およびＳ３５が発生する。時刻ｔ３１から時刻ｔ３２までの時間差Δｔ３１は測定光Ｂ３１が照射される部分の歯茎ＧＵの厚さΔ３１を示し，時刻ｔ３２から時刻ｔ３３までの時間差Δｔ３２は測定光Ｂ３１が照射される部分の歯周ポケットＰＰのギャップ間距離（歯ＴＯと歯茎ＧＵとの隙間の距離）Δ３２を示し，時刻ｔ３３から時刻ｔ３４までの時間差Δｔ３３は測定光Ｂ３１が照射される部分の歯ＴＯの厚さΔ３３を示し，時刻ｔ３４から時刻ｔ３５までの時間差Δ３４は測定光Ｂ３１が照射される部分の歯ＴＯの右側の歯茎ＧＵの厚さΔ３４を示している。
【００４６】
仮に，反射光Ｒ３１を利用しないで干渉信号Ｓ３１，Ｓ３２，Ｓ３３，Ｓ３４およびＳ３５が生成されるとすると，特に，干渉信号Ｓ３４のレベルＬ３４および干渉信号Ｓ３５のレベルＬ３５が，干渉信号Ｓ３１，Ｓ３２，またはＳ３３と比較して大きく低下してしまう（レベル低下が鎖線Ｃ３によって表されている）。しかしながら．本実施例では，干渉信号Ｓ１１およびＳ１２と同様に，干渉信号Ｓ３１，Ｓ３２，Ｓ３３，Ｓ３４およびＳ３５のそれぞれにおいても測定光Ｂ３１の反射光Ｒ３１を用いて生成される。そのため，図５（Ｃ）に示されるように，干渉信号Ｓ３４，干渉信号Ｓ３５などのレベルが大きく低下することが防止される。
【００４７】
同様に，測定光Ｂ４１により，歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面のそれぞれからの反射光強度が高くなる。このために，図５（Ｄ）に示すように，歯茎ＧＵの左側の表面ＧＵ１，左側の歯茎ＧＵの裏面側の内面ＧＵ２，歯ＴＯの表面ＴＯ１，歯ＴＯ裏面側の内面ＴＯ２および右側の歯茎ＧＵの裏面側の内面からのそれぞれの反射光にもとづいて図５（Ｄ）に示すように時刻ｔ４１，ｔ４２，ｔ４３，ｔ４４およびｔ４５において干渉信号Ｓ４１，Ｓ４２，Ｓ４３，Ｓ４４およびＳ４５が発生する。時刻ｔ４１から時刻ｔ４２までの時間差Δｔ４１は測定光Ｂ４１が照射される部分の歯茎ＧＵの厚さΔ４１を示し，時刻ｔ４２から時刻ｔ４３までの時間差Δｔ４２は測定光Ｂ４１が照射される部分の歯周ポケットＰＰのギャップ間距離（歯ＴＯと歯茎ＧＵとの隙間の距離）Δ４２を示し，時刻ｔ４３から時刻ｔ４４までの時間差Δｔ４３は測定光Ｂ４１が照射される部分の歯ＴＯの厚さΔ４３を示し，時刻ｔ４４から時刻ｔ４５までの時間差Δ４４は測定光Ｂ４１が照射される部分の歯ＴＯの右側の歯茎ＧＵの厚さΔ４４を示している。
【００４８】
仮に，反射光Ｒ４１を利用しないで干渉信号Ｓ４１，Ｓ４２，Ｓ４３，Ｓ４４およびＳ４５が生成されるとすると，特に，干渉信号Ｓ４４のレベルＬ４４および干渉信号Ｓ４５のレベルＬ４５が，干渉信号Ｓ４１，Ｓ４２，またはＳ４３と比較して大きく低下してしまう（レベル低下が鎖線Ｃ４によって表されている）。しかしながら．本実施例では，干渉信号Ｓ１１およびＳ１２と同様に，干渉信号Ｓ４１，Ｓ４２，Ｓ４３，Ｓ４４およびＳ４５のそれぞれにおいても測定光Ｂ４１の反射光Ｒ４１を用いて生成される。そのため，図５（Ｄ）に示されるように，干渉信号Ｓ４４，干渉信号Ｓ４５などのレベルが大きく低下することが防止される。
【００４９】
さらに，測定光Ｂ５１により，歯茎ＧＵの左側の表面ＧＵ１，左側の歯茎ＧＵの裏面側の内面ＧＵ２（歯周ポケットＰＰが形成されていないので歯ＴＯの表面ＴＯ１と同じ面となる），歯ＴＯ裏面側の内面ＴＯ２および右側の歯茎ＧＵの裏面側の内面のそれぞれからの反射光強度が高くなる。このために，図５（Ｅ）に示すように，歯茎ＧＵの左側の表面ＧＵ１，左側の歯茎ＧＵの裏面側の内面ＧＵ２（歯ＴＯの表面ＴＯ１），歯ＴＯ裏面側の内面ＴＯ２および右側の歯茎ＧＵの裏面側の内面からのそれぞれの反射光にもとづいて図５（Ｅ）に示すように時刻ｔ５１，ｔ５２，ｔ５３，およびｔ５４において干渉信号Ｓ５１，Ｓ５２，Ｓ５３およびＳ５４が発生する。時刻ｔ５１から時刻ｔ５２までの時間差Δｔ５１は測定光Ｂ５１が照射される部分の歯茎ＧＵの厚さΔ５１を示し，時刻ｔ５２から時刻ｔ５３までの時間差Δｔ５２は測定光Ｂ５１が照射される部分の歯ＴＯの厚さΔ５３を示し，時刻ｔ５３から時刻ｔ５４までの時間差Δ５３は測定光Ｂ５１が照射される部分の歯ＴＯの右側の歯茎ＧＵの厚さΔ５３を示している。
【００５０】
仮に，反射光Ｒ５１を利用しないで干渉信号Ｓ５１，Ｓ５２，Ｓ５３およびＳ５４が生成されるとすると，特に，干渉信号Ｓ５３のレベルＬ５３および干渉信号Ｓ５４のレベルＬ５４が，干渉信号Ｓ５１またはＳ５２と比較して大きく低下してしまう（レベル低下が鎖線Ｃ５によって表されている）。しかしながら．本実施例では，干渉信号Ｓ１１およびＳ１２と同様に，干渉信号Ｓ５１，Ｓ５２，Ｓ５３およびＳ５４のそれぞれにおいても測定光Ｂ５１の反射光Ｒ５１を用いて生成される。そのため，図５（Ｅ）に示されるように，干渉信号Ｓ５３，干渉信号Ｓ５４などのレベルが大きく低下することが防止される。
【００５１】
図５（Ａ）から図５（Ｅ）の干渉信号のピーク値をプロットすることにより図６に示す歯茎ＧＵと歯ＴＯとの光断層画像が生成される。
【００５２】
図６は，光断層画像ＩＭの一例である。
【００５３】
光断層画像ＩＭには，測定光Ｂ１１からＢ５１などが照射される側の歯茎ＧＵの光断層画像Ｉｇｕ１，歯ＴＯの光断層画像Ｉｔｏおよび測定光Ｂ１１からＢ５１などが照射される側の歯茎ＧＵとは反対側の歯茎ＧＵの光断層画像Ｉｇｕ２が含まれている。このような光断層画像ＩＭが表示装置６の表示画面に表示される。
【００５４】
反射光Ｒ１１からＲ５１を利用しないで上述した干渉信号Ｓ１２などが生成された場合には，測定光Ｂ１１からＢ５１の減衰により測定光Ｂ１１からＢ５１の入射面側とは反対側の歯茎ＧＵの光断層画像Ｉｇｕ２は明瞭には表示されないことが多いが，この実施例では反射光Ｒ１１からＲ５１を利用してＳ／Ｎの良好な干渉信号Ｓ１２などが生成され，光断層画像ＩＭが生成されるので，光断層画像Ｉｇｕ２も明瞭に表示される。発明者が実際にダミーの歯および歯茎を用いて光断層画像を作成したところ，反射光Ｒ１１からＲ５１を利用することにより明瞭な光断層画像が得られた。
【００５５】
歯茎ＧＵの光断層画像Ｉｇｕ１と歯ＴＯの光断層画像Ｉｔｏとが信号処理回路５において輪郭抽出されることにより，歯周ポケットＰＰの深さΔｄが信号処理回路５において算出される。図６においては，光断層画像Ｉｇｕ２と歯ＴＯの光断層画像Ｉｔｏとの間に歯周ポケットが形成されていないが，光断層画像Ｉｇｕ２と歯ＴＯの光断層画像Ｉｔｏとの間に歯周ポケットが形成されている場合には，その歯周ポケットの深さも算出できる。
【００５６】
上述の実施例では，歯茎ＧＵと歯ＴＯとの光断層画像ＩＭを生成し，生成された光断層画像ＩＭのうち光断層画像Ｉｇｕ１とＩｔｏとの輪郭を抽出することにより歯周ポケットＰＰの深さΔｄを算出しているが，光断層画像Ｉｇｕ１とＩｔｏとを生成することなく（光断層画像Ｉｇｕ１とＩｔｏとを生成してもよい），計算により歯周ポケットＰＰの深さΔｄを算出してもよい。
【００５７】
また，上述の実施例では，測定光Ｂ１１からＢ５１の振れ幅は，重度の歯周病であっても一度の走査において歯周ポケットＰＰの深さΔｄが測定できる程度のものとされている。しかしながら，一度の走査において歯周ポケットの深さΔｄを測定できる程度の十分な振れ幅が無い場合に，検査ヘッド２０を用いて上下の異なる位置で複数回（少なくとも２箇所）測定することにより，フォトダイオード４から出力された干渉信号にもとづいて歯周ポケットの深さΔｄについてのデータを信号処理回路（歯周ポケット・データ生成手段）５において生成するようにしてもよい。
【００５８】
たとえば，検査ヘッド２０の出射部材３０が，一回の走査（測定）により図４に示される測定光Ｂ１１からＢ３１の範囲（Ｂ３１からＢ５１の範囲と同等）に相当する振れ幅の，測定光を出射できるとする。まず，図４に示される測定光Ｂ１１からＢ３１に相当する範囲に，測定光を出射可能な位置で，検査ヘッド２０による一度目の走査（測定）が実施されるとする。この場合，たとえば，一度目の走査において図４に示される測定光Ｂ１１からＢ３１の範囲に出射される測定光にもとづいて得られる干渉信号から，図４に示す歯茎ＧＵおよび歯ＴＯの上半分の光断層画像Ｉｇｕ１，Ｉｇｕ２およびＩｔｏが得られる。次に検査ヘッド２０を下方向に動かす。動かした後の位置で実施される二度目の走査により，図４に示される測定光Ｂ３１からＢ５１に相当する範囲に，検査ヘッド２０から測定光が出射されるとする。この場合，二度目の走査において図４に示される測定光Ｂ３１からＢ５１の範囲に出射される測定光にもとづいて得られる干渉信号から，図４に示す歯茎ＧＵおよび歯ＴＯの下半分の光断層画像Ｉｇｕ１，Ｉｇｕ２およびＩｔｏが得られる。上下の異なる２箇所の位置に対する測定によって得られた２つの光断層画像が信号処理回路５において合成処理されることにより，図４に示す歯茎ＧＵおよび歯ＴＯの光断層画像が得られる。歯茎ＧＵおよび歯ＴＯの上半分の光断層画像Ｉｇｕ１，Ｉｇｕ２およびＩｔｏと下半分の光断層画像Ｉｇｕ１，Ｉｇｕ２およびＩｔｏとは重複部分については重複するように合成し，一度の走査により得られる光断層画像Ｉｇｕ１，Ｉｇｕ２およびＩｔｏと同じ光断層画像が得られるように，上下方向における光断層画像の連続性が担保されていることはいうまでもない。
【００５９】
上述の実施例においては，第２の光ファイバ２１から２５が一列に配列されているが，二列以上に配列されていてもよい。その場合には，二次元方向にも測定光ＬＭを偏向できるようにし，各列に含まれる光ファイバに測定光を導くようにすることとなろう。また，５本の第２の光ファイバ２１から２５は，必ずしも一直線上に配列されていなくともよく曲線状に曲がっていてもよい。
【００６０】
図７から図１２は，検査ヘッド２０の一例を示している。
【００６１】
図７から図１２は，図１および図４に対して上下が逆に示されている。図７から図１２が正立の状態（または倒立の状態）を表しているとすると，図１および図４は倒立の状態（または正立の状態）を表している。
【００６２】
図７を参照して，直方体状の保持部５０の摺動面５１には，摺動溝５２が形成されている。摺動面５１上には，出射部材３０および反射部材４０が摺動自在に保持部５０によって保持されている。出射部材３０は三層構造となっており，比較的固い板状部材３１と変形自在な板状部材３３との間に，圧力が加わることにより変形自在な樹脂などにより構成されている変形部材３２が挟まれている。板状部材３３は，変形部材３２の変形に追従して変形する。図７において，一方の板状部材３１の手前の面が入射面３１Ａとされ，他方の板状部材３３の奥側の面が測定光Ｂ１１からＢ５１を出射する出射面３３Ａとされている。また，反射部材４０も三層構造となっており，シート状の鏡４１と比較的固い板状部材４３との間に，圧力が加わることにより変形自在な樹脂などにより構成されている変形部材４２が挟まれている。図７において，シート状の鏡４１の手前の面が反射面とされている。出射部材３０には変形部材３２が含まれており，反射部材４０には変形部材４２が含まれているから，出射部材３０と反射部材４０との間に，歯ＴＯおよび歯茎ＧＵが挟まれる場合に，出射面３３Ａと反射面４１Ａとに歯ＴＯまたは歯茎ＧＵが密着する。出射部材３０および反射部材４０は必ずしも三層構造でなくともよく，変形部材３２，４２などにより変形可能でなくともよい。また，出射部材３０の板状部材３３がなく，変形部材３２の端面が出射面とされ，測定光Ｂ１１からＢ５１が出射してもよい。さらに， 歯ＴＯまたは歯茎ＧＵに、出射面３３Ａと反射面４１Ａとが密着しなくともよく，出射部材３０および反射部材４０が必ずしも変形する必要は無い。
【００６３】
図８は，図７のＶIII−ＶIII線に沿う断面図である。
【００６４】
保持部５０の中は空洞部５３となっており，空洞部５３の上部が摺動溝５２となっている。反射部材４０の下部の一部は，幅の狭いくびれ部４４となっており，くびれ部４４よりも下部がくびれ部４４より幅が広い摺動部４５となっている。くびれ部４４が摺動溝５２に入り込み，反射部材４０が摺動溝５２に沿って摺動する。摺動部４５の幅が摺動溝５２の幅よりも広いので，反射部材４０が保持部５０から外れることなく，摺動溝５２に沿って摺動する。摺動部４５には，後述する２本の伝達部材６１，６２（図９参照）のうちの他方の伝達部材６２が固定されている。
【００６５】
出射部材３０も反射部材４０と同様の構成であり，出射部材３０も摺動溝５２に沿って摺動する。
【００６６】
図７に戻って，出射部材３０の外側の入射面３１Ａには第２の光ファイバ２１から２５が挿入されており，入射面３１Ａと反対側の出射面３３Ａから測定光Ｂ１１からＢ５１が出射する。測定光Ｂ１１からＢ５１は，反射部材４０の反射面４１Ａにおいて上述のように反射する。出射部材３０の出射面３３Ａと反射部材４０の反射面４１Ａとは平行となるように，保持部５０に保持されている。
【００６７】
保持部５０の下面に固定された棒状の把持部材６０が，保持部５０の下方に向かって伸びている。保持部５０には，保持部５０に固定されている固定部７０と折り曲げ軸７５（回転軸の一例である）を中心に所定の角度折り曲がる折り曲げ部８０とが含まれている。固定部７０の下部には凹部７３が形成されており，この凹部７３に，折り曲げ部８０の上部に形成されている凸部８３が入り込んでいる。固定部７０の下面は，突出した円弧状に形成されている円弧面７４となっており，折り曲げ部８０の上面は，凹んだ円弧状に形成されている円弧面８４となっている。固定部７０の円弧面７４と折り曲げ部８０の円弧面８４とが向かい合い，かつ凹部７３に，折り曲げ部８０の上部に形成されている凸部８３が入り込んでいる。折り曲げ軸７５の中心軸の方向が測定光Ｂ１１からＢ５１の出射方向と同じ方向となるように，折り曲げ軸７５が凹部７３と凸部８３とを貫いている。これにより，折り曲げ部８０は固定部７０に対して，折り曲げ軸７５を中心に折り曲げ自在となっている。
【００６８】
折り曲げ部８０の表面には，操作ボタン６４が形成されている。この操作ボタン６４を上に操作することにより出射部材３０と反射部材４０とが離間し，操作ボタン６４を下に操作することにより出射部材３０と反射部材４０とが接近する（それらの逆であってもよい）。
【００６９】
図９は図７のＩＸ−ＩＸ線に沿う断面図である。
【００７０】
図９を参照して，固定部７０には保持部５０内の空洞部５３と繋がっており，図７において下方向に伸びている中空部７１が形成されており，かつ折り曲げ部８０にも下方向に伸びている中空部８１が形成されている。これらの中空部８１，７１および空洞部５３内に２つの伝達部材６１および６２が通っている。一方の伝達部材６１の先端は出射部材３０の摺動部３４に固定されており，後端は操作ボタン６４につながっている操作軸６３に固定されている。他方の伝達部材６２の先端は反射部材４０の摺動部４５に固定されており，後端は操作ボタン６４につながっている操作軸６３に固定されている。これらの２つの伝達部材６１および６２は，可撓性ではあるが押す力が加わった場合に出射部材３０および反射部材４０を押す力を伝達できる樹脂，スプリングなどによって作成される。
【００７１】
操作ボタン６４が上げられると操作ボタン６４の操作軸６３に，操作ボタン６４が押し上げられる力が加わり，この操作軸６３に固定されている一方の伝達部材６１によって出射部材３０に押す力が加わり，軸６３に固定されている他方の伝達部材６２によって反射部材４０に押す力が加わる。出射部材３０と反射部材４０とが離れる方向に力が加わり，図５および図７に示すように，出射面３３Ａと反射面４１Ａとが平行状態を維持しつつ出射部材３０と反射部材４０とが離間する。この場合，伝達部材６１および６２は第２の伝達部材として機能する。
【００７２】
図１０は，検査ヘッド２０の斜視図であり，出射部材３０と反射部材４０とが接近している状態を示しており，図１１は，図１０のＸＩ−ＸＩ線に沿った断面図である。
【００７３】
操作ボタン６４が下げられると，２つの伝達部材６１および６２が下方に引っ張られる。一方の伝達部材６１によって出射部材３０が引っ張られ，他方の伝達部材６２によって反射部材が引っ張られる。この結果，出射面３３Ａと反射面４１Ａとが平行状態を維持しつつ，出射部材３０と反射部材４０とが接近する。この場合，伝達部材６１および６２は第１の伝達部材として機能する。
【００７４】
図１２は，把持部材６０を折り曲げた状態を示している側面図である。
【００７５】
歯ＴＯおよび歯茎ＧＵを，検査ヘッド２０の出射部材３０と反射部材４０とで挟む場合，把持部材６０が邪魔となり挟みづらいことがある。このために，把持部材６０は折り曲げ軸７５を中心に折り曲げ自在とされている。
【００７６】
図１から図１２に示す例では，折り曲げ軸７５の軸の方向が測定光Ｂ１１からＢ５１の出射方向と同じとされているが，把持部材６０の長手方向の軸を中心として，折り曲げ軸７５の軸が測定光Ｂ１１からＢ５１の光軸と直角となるように把持部材６０を保持部５０に固定してもよい。図７等において，出射部材３０が手前または奥に倒れるように折り曲げることができる。
【００７７】
図１３は，変形例を示すもので，検査ヘッド２０の断面図であり，図９に対応している。図１３において図９等に示すものと同一物については同一符号を付して説明を省略する。
【００７８】
図１３に示す検査ヘッド２０においては，保持部５０の空洞部５３内において出射部材３０の摺動部３４と反射部材４０の摺動部４５に両端が固定されたばね６５が設けられている。
【００７９】
ばね６５は，圧縮ばねでも引っ張りばねでもよい。ばね６５が圧縮ばね（圧縮部材の一例である）の場合には，操作ボタン６４に力が加わっていない場合には，出射部材３０と反射部材４０とは離れており，操作ボタン６４は上がっている状態となる。ばね６５の力に抗して操作ボタン６４を下げると２つの伝達部材６１および６２（第１の伝達部材として機能する）の力で引っ張られ，出射部材３０と反射部材４０とが接近する。操作ボタン６４を離すとばね６５の圧縮力により出射部材３０と反射部材４０とが離れる。ばね６５が圧縮ばねの場合には，出射部材３０と反射部材４０とが接近するように引っ張り力が加えられればよいから伝達部材６１および６２はひも状のものでもよい。ばね６５が引っ張りばね（引っ張り部材の一例である）の場合には，操作ボタン６４に力が加わっていない場合には，出射部材３０と反射部材４０とは接近しており，操作ボタン６４は下がっている状態となる。ばね６５の力に抗して操作ボタン６４を上げると２つの伝達部材６１および６２（第２の伝達部材として機能する）の力で押され，出射部材３０と反射部材４０とは離れる。操作ボタン６４を離すとばね６５の引っ張り力により出射部材３０と反射部材４０とが接近する。なお，ここまで，出射部材３０および反射部材４０の双方が摺動可能に検査ヘッド２０Ａに備えられることによって，出射部材３０と反射部材４０とが接近および離間可能な実施形態を説明した。しかしながら，出射部材３０または反射部材４０の一方が保持部５０Ａに固定され，出射部材３０または反射部材４０の他方が摺動可能に検査ヘッド２０Ａに備えられることによって，出射部材３０と反射部材４０とが接近および離間可能であってもよい。
【００８０】
図１４および図１５は，他の変形例を示している。
【００８１】
図１４は，検査ヘッド２０Ａの斜視図である。
【００８２】
検査ヘッド２０Ａの保持部５０Ａには，保持部５０Ａの長手方向に沿って摺動面５１Ａに摺動溝５２Ａが形成されている。出射部材３５は，板状部材３６と変形自在な板状部材３８との間に変形部材３７が挟まれている。板状部材３８は，変形部材３７の変形に追従して変形する。出射部材３５の入射面３６Ａには第２の光ファイバ２１から２５が挿入されており，出射面３８Ａから測定光Ｂ１１からＢ５１が出射する。測定光Ｂ１１からＢ５１の出射方向と出射部材３５の摺動方向が同じとなるように摺動溝５２Ａが形成されている。保持部５０Ａの一端部には反射部材４９が固定されている。反射部材４９は，シート状の鏡４６と板状部材４８との間に変形部材４７が挟まれている。シート状の鏡４６の表面が反射面４６Ａとされている。図１４に示す検査ヘッド２０Ａにおいては，反射部材４９は摺動しないが摺動可能としてもよい。また，出射部材３５が保持部５０Ａの一端部に固定され，反射部材４９が摺動可能であってもよい。
【００８３】
保持部５０Ａの内部は，出射部材３５を摺動させるために，図９等に示したような空洞が形成されている。保持部５０Ａの側面には開口部９０が形成されている。開口部９０の内部に，ウォーム９１が回転自在に取り付けられている。
【００８４】
図１５は，出射部材３５の斜視図である。
【００８５】
出射部材３５は，図８等に示した反射部材４０と同様に幅の狭いとなっているくびれ部３９Ａが形成され，そのくびれ部３９Ａに摺動部３９Ｂが形成されている。摺動部３９Ｂは，測定光Ｂ２１からＢ２５の出射方向に伸びており，出射部材３５は，側面から見てほぼＬ字型の形状となっている。摺動部３９Ｂの側面３９Ｃの下部にはラック３９Ｄが形成されている。
【００８６】
出射部材３５が保持部５０Ａに取り付けられると，保持部５０Ａのウォーム９１の歯と出射部材３５のラック３９Ｄの歯とが噛み合う。ウォーム９１を回転させることにより，出射部材３５が保持部５０Ａの長手方向に摺動し，出射部材３５と反射部材４９とが接近，離間する。
【００８７】
保持部５０Ａの下面には把持部材６０Ａが固定されている。把持部材６０Ａには，保持部５０Ａに固定されている固定部７０と折り曲げ軸７５によって固定部７０に対して折り曲げ自在な折り曲げ部８０Ａとが含まれている。
【００８８】
図１４および図１５に示すような検査ヘッド２０Ａによっても，出射部材３５の出射面３８Ａと反射部材４９の反射面４６Ａとが平行な状態を維持しつつ，接近，離間が可能となる。上述の実施例においては，５本の光ファイバ２１から２５を用いて測定光Ｂ２１からＢ２５を歯ＴＯまたは歯ＴＯおよび歯茎ＧＵに照射しているが，５本の光ファイバ２１から２５を備えず、第１の光ファイバ７から出射される測定光ＬＭを直接，歯ＴＯまたは歯ＴＯおよび歯茎ＧＵに照射するよう構成されていてもよい。このような構成において、第１の光ファイバ７から出射される測定光ＬＭを歯ＴＯまたは歯ＴＯおよび歯茎ＧＵに照射する場合には，第１の光ファイバ７の測定光ＬＭの出射端面７Ｂを検査ヘッド20に接続し，検査ヘッド２０を上下（図１におけるＺ方向および−Ｚ方向）に動かすことにより，上述した測定光Ｂ１１からＢ５１に対応する複数の測定光ＬＭおよび反射光Ｒ１１からＲ５１に対応する反射光が得られる。すなわち，歯ＴＯおよび歯茎ＧＵに測定光ＬＭ，測定光Ｂ２１からＢ２５などが照射されればよく，光ファイバ２１から２５が利用されなくともよい。また，図２に示す偏向装置１０においては，偏向ミラー１３を用いて測定光ＬＭを５本の光ファイバ２１から２５に振り分けているが，結晶偏向素子（図示略）を用いて測定光ＬＭを５本の光ファイバ２１から２５に振り分けてもよい。結晶偏向素子への印加電圧に応じて入射する測定光ＬＭが偏向させられる。さらに，上述の実施例においては偏向装置１０に光ファイバ２１から２５が接続されているが，偏向装置１０内に光ファイバ２１から２５を内蔵させ，偏向装置１０と出射部材３０とを一体化させてもよい。
【００８９】
図１６から図２２は，他の実施例を示すもので，検査ヘッドであるマウス・ピース１００の一例である。具体的には，マウス・ピース１００は，保持部の一態様に相当する。
【００９０】
図１６の上部は，マウス・ピース１００の斜視図であり，図１６の下部は，マウス・ピース１００を装着する歯茎ＧＵおよび下顎の歯ＴＥ（中切歯１２１および１２２，側切歯１２３および１２４，犬歯１２５および１２６，第一小臼歯１２７および１２８，第二小臼歯１２９および１３０，第一大臼歯１３１および１３２，第二大臼歯１３３および１３４）の斜視図である。
【００９１】
詳しくは後述するように（図１８，図２０などを参照），マウス・ピース１００内には複数の光ファイバが含まれている。マウス・ピース１００は可撓性材料でできており，マウス・ピース１００に含まれている複数の光ファイバを，光ファイバの光軸方向に単独で移動自在に保持している。もっとも，移動自在でなくともよい。
【００９２】
図１７は，歯ＴＥおよび歯茎ＧＵにマウス・ピース１００を装着した様子を示している。
【００９３】
マウス・ピース１００の内部には窪み部が形成されており，マウス・ピース１００の内面と歯ＴＥの表面および歯茎ＧＵの表面とが密着する。
【００９４】
図１８はマウス・ピース１００の平面図である。
【００９５】
マウス・ピース１００には，多数の光ファイバ１０１Ａから１１４Ａなどが含まれている（わかりやすくするために，これらの光ファイバ１０１Ａから１１４Ａなどが破線で示されている。）。マウス・ピース１００の正面（図１７において右側）から，多数の光ファイバがマウス・ピース１００の外部に伸びている。多数の光ファイバは，一対のコネクタ（コネクタ１００Ａ及びコネクタ１００Ｂ）によって，分離自在に結合されている。
【００９６】
コネクタ１００Ｂから延びる光ファイバ１０１Ａから１１４Ａなどは，偏向装置１０Ｃの一端部に接続され，偏向装置１０Ｃの他端部には５本の光ファイバ２１から２５が接続されている。偏向装置１０Ｃは, 偏向装置１０Ｃ内部に設けられた偏向ミラーを用いて光ファイバ２１から２５から出力される測定光ＬＭを偏向して，光ファイバ１０１Ａから１０１Ｅ，１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅまたは１１４Ａから１１４Ｅ（図１９参照）に測定光ＬＭを伝搬させる。
【００９７】
光ファイバ１０１Ａから１１４Ａなどの他端面（コネクタ１００Ａに接続されていない端部の面であり，平行光である測定光を出射する出射面となる）に対向する位置には，窪み部を介して反射部材１４１から１５４などが配置されている。
【００９８】
図１９は，図１６のＸＩＸ−ＸＩＸ線に沿う断面図である。図１９においてはハッチングを省略している。
【００９９】
偏向装置１０Ｃには，マウス・ピース１００から外部に伸びている多数の光ファイバ１０１Ａから１０１Ｅ，１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅおよび１１４Ａから１１４Ｅが接続されている。光ファイバ１０１Ａから１０１Ｅ，１０２Ａから１０２Ｅ，１０３Ａから１０３Ｅ，１０４Ａから１０４Ｅ，１０５Ａから１０５Ｅ，１０Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅおよび１１４Ａ  から１１４Ｅは，Ｚ軸方向（上下方向）にそれぞれ一列に配列されている。
【０１００】
光ファイバ２１から２５内から出射した測定光ＬＭは偏向装置１０Ｃによって，光ファイバ１０１Ａから１０１Ｅ，１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅまたは１１４Ａから１１４Ｅに偏向させられる。このように，図１８および図２０に示される偏向装置１０Ｃは，光ファイバ２１から２５内から出射した測定光ＬＭを，一次元方向に偏向するものである。しかしながら，偏向装置１０Ｃは，第１の光ファイバ７内から出射した測定光ＬＭを，二次元方向に偏向するものであってもよい。図１８または図２０において，５本の光ファイバ２１から２５に代えて，第１の光ファイバ７が偏向装置１０Ｃに接続されてもよい。この場合，第１の光ファイバ７から５本の光ファイバ２１から２５に偏向させる偏向装置が不要となるので歯周病検査装置全体として備える偏向装置は１つである。
【０１０１】
図２０は，歯ＴＥおよび歯茎ＧＵにマウス・ピース１００を装着した様子を示す平面図である。図２１は，図１８のＸＸＩ−ＸＸＩ線に沿う断面図，図２２は，図２０のＸＸＩＩ−ＸＸＩＩ線に沿う断面図である。
【０１０２】
一列に配列されている光ファイバ１０１Ａから１０１Ｅは，図２１に示すように，光ファイバ１０１Ａから１０１Ｅの光の出射面が歯ＴＥおよび歯茎ＧＵの密着面８６から露出するようにマウス・ピース１００によって保持されている。
【０１０３】
光ファイバ１０１Ａから１０１Ｅの出射端面に対向する位置に，反射部材１４１が配置されている。反射部材１４１の表面が反射面１４１Ａとされている。マウスピース１００は弾性変形可能な樹脂等で構成されており，光ファイバ１０１Ａから１０１Ｅの出射端面と反射面１４１Ａとの間の空間１０１に歯ＴＥおよび歯茎ＧＵが挿入されると，光ファイバ１０１Ａから１０１Ｅの出射端面と歯ＴＥの表面または歯茎ＧＵとが密着し，反射面１４１Ａと歯ＴＥの裏面または歯茎ＧＵとが密着する。
【０１０４】
歯ＴＥおよび歯茎ＧＵにマウス・ピース１００を装着すると，図２０および図２２に示すように，光ファイバ１０１Ａから１０１Ｅの出射面（図２２において右側）が中切歯１２１を包んでいる歯茎ＧＵの表面および中切歯１２１の外側の表面に密着する。
【０１０５】
同様に，歯ＴＥおよび歯茎ＧＵにマウス・ピース１００を装着すると，光ファイバ１０２Ａから１０２Ｅの出射面が中切歯１２２を包んでいる歯茎ＧＵおよび中切歯１２２の外側の表面に密着し，光ファイバ１０３Ａから１０３Ｅの出射面が側切歯１２３を包んでいる歯茎ＧＵおよび側切歯１２３の外側の表面に密着し，光ファイバ１０４Ａから１０４Ｅの出射面が側切歯１２４を包んでいる歯茎ＧＵおよび側切歯１２４の外側の表面に密着し，光ファイバ１０５Ａから１０５Ｅの出射面が犬歯１２５を包んでいる歯茎ＧＵおよび犬歯１２５の外側の表面に密着し，光ファイバ１０６Ａから１０６Ｅの出射面が犬歯１２６を包んでいる歯茎ＧＵおよび犬歯１２６の外側の表面に密着する。また，光ファイバ１０７Ａから１０７Ｅの出射面が第一小臼歯１２７を包んでいる歯茎ＧＵおよび第一小臼歯１２７の外側の表面に密着し，光ファイバ１０８Ａから１０８Ｅの出射面が第一小臼歯１２８を包んでいる歯茎ＧＵおよび第一小臼歯１２８の外側の表面に密着し，光ファイバ１０９Ａから１０９Ｅの出射面が第二小臼歯１２９を包んでいる歯茎ＧＵおよび第二小臼歯１２９の外側の表面に密着し，光ファイバ１１０Ａから１１０Ｅの出射面が第二小臼歯１３０を包んでいる歯茎ＧＵおよび第二小臼歯１３０の外側の表面に密着し，光ファイバ１１１Ａから１１１Ｅの出射面が第一大臼歯１３１を包んでいる歯茎ＧＵおよび第一大臼歯１３１の外側の表面に密着し，光ファイバ，光ファイバ１１２Ａから１１２Ｅの出射面が第一大臼歯１３２を包んでいる歯茎ＧＵおよび第一大臼歯１３２の外側の表面に密着し，光ファイバ１１３Ａから１１３Ｅの出射面が第二大臼歯１３３を包んでいる歯茎ＧＵおよび第二大臼歯１３３の外側の表面に密着し，光ファイバ１１４Ａから１１４Ｅの出射面が第二大臼歯１３４の外側の表面に密着する。
【０１０６】
第２の光ファイバ２１から２５から出射した測定光ＬＭが偏向させられて光ファイバ１０１Ａから１０１Ｅに入射すると，測定光ＬＭは中切歯１２１を包んでいる歯茎ＧＵおよび中切歯１２１を照射し，中切歯１２１および歯茎ＧＵから反射する。また，歯茎ＧＵまたは中切歯１２１を透過した測定光ＬＭは，反射面１４１Ａを照射し，反射面１４１Ａから反射する。中切歯１２１，歯茎ＧＵ，反射面１４１Ａなどから反射した測定光ＬＭは，測定光を出射した光ファイバ１０１Ａから１０１Ｅに戻り，光ファイバ１０１Ａから１０１Ｅ内を伝搬し，上述のように参照光ＬＲとともにフォトダイオード４に入射して，中切歯１２１を包んでいる歯茎ＧＵおよび中切歯１２１の光断層画像が得られる。反射面１４１Ａから反射した測定光ＬＭを利用しているので，良好なＳ／Ｎをもつ干渉信号が得られ，比較的見やすい光断層画像が得られる。
【０１０７】
第２の光ファイバ２１から２５から出射した測定光ＬＭが偏向させられて光ファイバ１０２Ａから１０２Ｅに入射すると，測定光ＬＭは中切歯１２２を包んでいる歯茎ＧＵおよび中切歯１２２を照射するので，中切歯１２２を包んでいる歯茎ＧＵおよび中切歯１２２の光断層画像が得られる。第２の光ファイバ２１から２５から出射した測定光ＬＭが偏向させられて光ファイバ１０３Ａから１０３Ｅに入射すると，測定光ＬＭは側切歯１２３を包んでいる歯茎ＧＵおよび側切歯１２３を照射するので，側切歯１２３を包んでいる歯茎ＧＵおよび側切歯１２３の光断層画像が得られる。第２の光ファイバ２１から２５から出射した測定光ＬＭが偏向させられて光ファイバ１０４Ａから１０Ｅに入射すると，測定光ＬＭは側切歯１２４を包んでいる歯茎ＧＵおよび側切歯１２４を照射するので，側切歯１２４を包んでいる歯茎ＧＵおよび側切歯１２４の光断層画像が得られる。第２の光ファイバ２１から２５から出射した測定光ＬＭが偏向させられて光ファイバ１０５Ａから１０５Ｅに入射すると，測定光ＬＭは犬歯１２５を包んでいる歯茎ＧＵおよび犬歯１２５を照射するので，犬歯１２５を包んでいる歯茎ＧＵおよび犬歯１２５の光断層画像が得られる。第２の光ファイバ２１から２５から出射した測定光ＬＭが偏向させられて光ファイバ１０６Ａから１０６Ｅに入射すると，測定光ＬＭは犬歯１２６を包んでいる歯茎ＧＵおよび犬歯１２６を照射するので，犬歯１２６を包んでいる歯茎ＧＵおよび犬歯１２６の光断層画像が得られる。
【０１０８】
同様に，第２の光ファイバ２１から２５から出射した測定光ＬＭが偏向させられて光ファイバ１０７Ａから１０７Ｅに入射すると，測定光ＬＭは第一小臼歯１２７を包んでいる歯茎ＧＵおよび第一小臼歯１２７を照射するので，第一小臼歯１２７を包んでいる歯茎ＧＵおよび第一小臼歯１２７の光断層画像が得られる。第２の光ファイバ２１から２５から出射した測定光ＬＭが偏向させられて光ファイバ１０８Ａから１０８Ｅに入射すると，測定光ＬＭは第一小臼歯１２８を包んでいる歯茎ＧＵおよび第一小臼歯１２８を照射するので，第一小臼歯１２８を包んでいる歯茎ＧＵおよび第一小臼歯１２８の光断層画像が得られる。第２の光ファイバ２１から２５から出射した測定光ＬＭが偏向させられて光ファイバ１０９Ａから１０９Ｅに入射すると，測定光ＬＭは第二小臼歯１２９を包んでいる歯茎ＧＵおよび第二小臼歯１２９を照射するので，第二小臼歯１２９を包んでいる歯茎ＧＵおよび第二小臼歯１２９の光断層画像が得られる。第２の光ファイバ２１から２５から出射した測定光ＬＭが偏向させられて光ファイバ１１０Ａから１１０Ｅに入射すると，測定光ＬＭは第二小臼歯１３０を包んでいる歯茎ＧＵおよび第二小臼歯１３０を照射するので，第二小臼歯１３０を包んでいる歯茎ＧＵおよび第二小臼歯１３０の光断層画像が得られる。
【０１０９】
さらに，第２の光ファイバ２１から２５から出射した測定光ＬＭが偏向させられて光ファイバ１１１Ａから１１１Ｅに入射すると，測定光ＬＭは第一大臼歯１３１を包んでいる歯茎ＧＵおよび第一大臼歯１３１を照射するので，第一大臼歯１３１を包んでいる歯茎ＧＵおよび第一大臼歯１３１の光断層画像が得られる。第２の光ファイバ２１から２５から出射した測定光ＬＭが偏向させられて光ファイバ１１２Ａから１１２Ｅに入射すると，測定光ＬＭは第一大臼歯１３２を包んでいる歯茎ＧＵおよび第一大臼歯１３２を照射するので，第一大臼歯１３２を包んでいる歯茎ＧＵおよび第一大臼歯１３２の光断層画像が得られる。第２の光ファイバ２１から２５から出射した測定光ＬＭが偏向させられて光ファイバ１１３Ａから１１３Ｅに入射すると，測定光ＬＭは第二大臼歯１３３を包んでいる歯茎ＧＵおよび第二大臼歯１３３を照射するので，第二大臼歯１３３を包んでいる歯茎ＧＵおよび第二大臼歯１３３の光断層画像が得られる。第２の光ファイバ２１から２５から出射した測定光ＬＭが偏向させられて光ファイバ１１４Ａから１１４Ｅに入射すると，測定光ＬＭは第二大臼歯１３４を包んでいる歯茎ＧＵおよび第二大臼歯１３４を照射するので，第二大臼歯１３４を包んでいる歯茎ＧＵおよび第二大臼歯１３４の光断層画像が得られる。
【０１１０】
光ファイバ１０１Ａから１０１Ｅ以外の光ファイバ１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１２Ａから１１１Ｅ，１１２Ａから１１２Ｅ，１１３Ａから１１３Ｅおよび１１４Ａから１１４Ｅについても，先端側の出射端面に対向して反射部材１４２，１４３，１４４，１４５，１４６，１４７，１４８，１４９，１５０，１５１，１５２，１５３および１５４も設けられており，これらの反射部材１４２−１５４からの反射光も利用して干渉信号を生成しているので良好なＳ／Ｎをもつ干渉信号を生成でき，かつ比較的見やすい光断層画像が得られることとなる。
【０１１１】
マウス・ピース１００を歯ＴＥおよび歯茎ＧＵに装着し，第２の光ファイバ２１から２５に測定光ＬＭを伝搬させることにより，測定者が，測定対象の各歯ＴＯ及び各歯ＴＯを含んでいる歯茎ＧＵに対して，手動で順に位置合わせをすることなく，複数の歯ＴＥに対応した複数の歯周ポケットの深さを検出できるようになる。その結果，測定者が各歯ＴＯに対応した歯周ポケット毎に対して順に位置合わせをする場合と比較して，測定者の煩わしさの軽減及び測定時間の短縮が実現できる。
【０１１２】
上述したマウス・ピース１００はあらかじめ用意されているマウス・ピース１００の型に多数の光ファイバを入れ，可撓性材料の樹脂を流し込むことにより生成できる。代替的に，可撓性材料の樹脂によってマウス・ピース１００の形を成形した後に，上述した空間部を形成し，この空間部に多数の光ファイバを通すことによって，上述したマウス・ピース１００を生成してもよい。また，いずれの生成方法であっても，多数の光ファイバ１０１Ａから１０１Ｅ，１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅおよび１１４Ａから１１４Ｅのそれぞれの先端部にＧＲＩＮレンズを備えたり，多数の光ファイバ１０１Ａから１０１Ｅ，１０２Ａから１０２Ｅ，１０３Ａから１０３Ｅ，１０４Ａから１０４Ｅ，１０５Ａから１０５Ｅ，１０６Ａから１０６Ｅ，１０７Ａから１０７Ｅ，１０８Ａから１０８Ｅ，１０９Ａから１０９Ｅ，１１０Ａから１１０Ｅ，１１１Ａから１１１Ｅ，１１２Ａから１１２Ｅ，１１３Ａから１１３Ｅおよび１１４Ａから１１４Ｅのそれぞれの先端部を加工することによって平行化素子としたりすることが好ましい。
【０１１３】
上述の実施例では，下顎用のマウス・ピース１００について説明したが，下顎用ではなく上顎用のマウス・ピース１００についても同様にして歯周ポケットの深さを検出できる。また，歯ＴＥの外側の面における歯周ポケットの深さを検出するのではなく，歯ＴＥの内側の面における歯周ポケットの深さを検出するように，マウス・ピース１００内に光ファイバを設けるようにしてもよい。その場合には，歯ＴＥの内側の面に光ファイバの出射面が当たるように光ファイバがマウス・ピース１００内に設けられることとなろう。さらに，上述の実施例においては，一つの歯に対応して１列の光ファイバの出射端面が当たるように構成されているが，一つの歯に対応して２列以上の光ファイバの出射端面が当たるように構成してもよい。
【０１１４】
上述の実施例では，図１８，図２０などに示すように，偏向装置１０Ｃよりも先端側に着脱自在なコネクタ１００Ａと１００Ｂが設けられている。しかしながら，図１などに示す光ファイバ２１から２５の先端部と光ファイバ２１から２５の基端部との間に，光ファイバ２１から２５を，それぞれ分離自在に結合するコネクタ（結合部材の一例）が設けられていてもよい。いずれの場合であっても光ファイバ・アレイの基端部からマウス・ピース１００（検査ヘッド）を取り外すことができ，比較的簡単にマウス・ピース１００を取り換えることができる。その結果，被測定者の口腔内と接触する光ファイバ・アレイの先端部を含む部品が取り外し可能であることによって，この部品を廃棄し，被測定者毎に未使用の部品に取り換え可能なため，歯周病検査における衛生度を高めることができる。さらに，廃棄される部分には，偏向装置等の比較的の高い部材が含まれないことによって，これらの部材が廃棄される部分に含まれる場合と比較して，ランニングコストが軽減される。
【符号の説明】
【０１１５】
１：光源，２：ビーム・スプリッタ，３：参照用ミラー，４：フォトダイオード，５：信号処理回路，６：表示装置，７：第１の光ファイバ，７Ａ：入射端面，１０：偏向装置，１０Ｃ：偏向装置，１１−１５：第２の光ファイバ，20：検査ヘッド，２０Ａ：検査ヘッド，３０：出射部材，３１：板状部材，３１Ａ：入射面，３２：変形部材，３３：板状部材，３３Ａ：出射面，３４：摺動部，３５：出射部材，３６：板状部材，３６Ａ：入射面，３７：変形部材，３８：板状部材，３８Ａ：出射面，３９Ａ：くびれ部，３９Ｂ：摺動部，３９Ｃ：側面，３９Ｄ：ラック，４０：反射部材，４１：シート状の鏡，４１Ａ：反射面，４２：変形部材，４３：板状部材，４４：くびれ部，４５：摺動部，４６：シート状の鏡，４６Ａ：反射面，４７：変形部材，４８：板状部材，４９：出射部材，５０：保持部，５０Ａ：保持部，５１：摺動面，５１Ａ：摺動面，５２：摺動溝，５２Ａ：摺動溝，５３：空洞部，６０：把持部材，６０Ａ：把持部材，６１：伝達部材，６２：伝達部材，６３：操作軸，６４：操作ボタン，６５：ばね，７０：固定部，７１：中空部，７３：凹部，７４：円弧面，７５：折り曲げ軸，８０：折り曲げ部，８０Ａ：折り曲げ部，８１：中空部，８３：凸部，８４：円弧面，８６：密着面，９０：開口部，９１：ウォーム，１００：マウス・ピース，１００Ａ：コネクタ，１００Ｂ：コネクタ，１０１Ａ−１１４Ａ：光ファイバ，１２１：中切歯，１２２：中切歯，１２３：側切歯，１２４：側切歯，１２５：犬歯，１２６：犬歯，１２７：第一小臼歯，１２８：第一小臼歯，１２９：第二小臼歯，１３０：第二小臼歯，１３１：第一大臼歯，１３２：第一大臼歯，１３３：第二大臼歯，１３４：第二大臼歯，１４１：反射部材，１４１Ａ：反射面，１４２−１５４：反射部材，Ｂ１１−Ｂ１４：測定光，Ｂ２１，Ｂ３１，Ｂ４１，Ｂ５１：測定光，Ｃ１−Ｃ５：鎖線，ＧＵ：歯茎，ＧＵ１：表面，ＧＵ２：内面，ＧＵ：内面，ＩＭ：光断層画像，Ｉｇｕ１：光断層画像，Ｉｇｕ２：光断層画像，Ｉｔｏ：光断層画像，Ｌ：低干渉光，ＬＭ：測定光，ＬＲ：参照光，ＰＰ：歯周ポケット，Ｒ１１−Ｒ１４：反射光，Ｒ２１：反射光，Ｒ３１：反射光，Ｒ４１：反射光，Ｒ５１：反射光，Ｓ１１−Ｓ１２：干渉信号，Ｓ２１−Ｓ２５：干渉信号，Ｓ３１−Ｓ３５：干渉信号，Ｓ４１−Ｓ４５：干渉信号，Ｓ５１−Ｓ５４：干渉信号，ＴＥ：歯，ＴＯ：歯，ＴＯ１：表面，ＴＯ２：内面
【図１】
2020054751.tif 000003
【図２】
2020054751.tif 000004
【図３】
2020054751.tif 000005
【図４】
2020054751.tif 000006
【図５】
2020054751.tif 000007
【図６】
2020054751.tif 000008
【図７】
2020054751.tif 000009
【図８】
2020054751.tif 000010
【図９】
2020054751.tif 000011
【図１０】
2020054751.tif 000012
【図１１】
2020054751.tif 000013
【図１２】
2020054751.tif 000014
【図１３】
2020054751.tif 000015
【図１４】
2020054751.tif 000016
【図１５】
2020054751.tif 000017
【図１６】
2020054751.tif 000018
【図１７】
2020054751.tif 000019
【図１８】
2020054751.tif 000020
【図１９】
2020054751.tif 000021
【図２０】
2020054751.tif 000022
【図２１】
2020054751.tif 000023
【図２２】
2020054751.tif 000024